(57)【要約】【課題】保温のための非使用時の待機電力を削減し省エネルギーであるととともに便器からの脱着も用意に実施できる暖房便座を実現する。【解決手段】暖房手段１５を備えた便座１３と、便器１２に取り付けられ便座１３の回動を支持すると共に電源１４より電気の供給を受ける支持手段１１とを備え、便座１３の回動と連動して電源１４より供給される電力を用いて暖房手段１５を機能させることのできる昇温可能状態と、機能させることのできない昇温不可能状態とを切り換えるものである。これにより、例えば男子小便用に便座が上げられたような明らかに暖房便座を使用しない時に、暖房手段の機能を停止させ、必要外の電力の利用を防止することができる上、便座を便器から取り外す際にも、使用者がコネクタを外すなどの作業をする必要がなく便利である。【選択図】図１
2005253644.tif 000002
【特許請求の範囲】
【請求項１】
便器に取り付けられ便座の回動を支持すると共に電源より電気の供給を受ける支持手段と、前記便座に配設して前記電源より供給される電力を用いて暖房する暖房手段とを備え、前記便座の回動と連動して前記暖房手段を昇温可能状態と昇温不可能状態とに切り換える暖房便座。
【請求項２】
便器に取り付けられ便座の回動を支持すると共に電源より電気の供給を受ける支持手段と、前記便座に配設して前記電源より供給される電力を用いて暖房する暖房手段とを備え、前記便座と前記支持手段にはそれぞれ電気接点部を有する便座側コネクタと支持手段側コネクタを設けて、前記便座側コネクタと前記支持手段側コネクタの電気接点部の接触は便座の回動と連動する暖房便座。
【請求項３】
便座は、支持手段から脱着可能とする脱着手段を備えた請求項１または２に記載の暖房便座。
【請求項４】
暖房手段は、輻射型発熱体を熱源とした請求項１、２または３に記載の暖房便座。
【請求項５】
暖房手段は、輻射型発熱体と第２発熱体の両方を熱源とした請求項１、２または３に記載の暖房便座。
【請求項６】
電気接点部の通電端子は、少なくとも３つとする請求項５に記載の暖房便座。
【請求項７】
支持手段に設けられた支持手段側コネクタ前面に、便座の回動に連動して開閉するカバーを設けた請求項２〜６のいずれか１項に記載の暖房便座。
【請求項８】
便座に設けられた便座側コネクタ前面に、前記便座の回動に連動して開閉するカバーを設けた請求項２〜７のいずれか１項に記載の暖房便座。
【請求項９】
カバーは、カバー板と、バネを備えた請求項７または８に記載の暖房便座。
【請求項１０】
輻射型発熱体は、ガラス管にハロゲンガスを封入したランプヒーターとする請求項４〜９のいずれか１項に記載の暖房便座。
【請求項１１】
第２発熱体は、コード状の抵抗体であるコードヒーターとする請求項５〜１０のいずれか１項に記載の暖房便座。
【請求項１２】
第２発熱体は、面状の抵抗体である面ヒーターとする請求項５〜１０のいずれか１項に記載の暖房便座。
【請求項１３】
支持手段側コネクタおよび便座側コネクタは、便座の略中央より左右いずれかにずらした位置に設けられた請求項２〜１２のいずれか１項に記載の暖房便座。
【請求項１４】
請求項１〜１３に記載の暖房便座と、局部洗浄手段を備えた衛生洗浄装置。
【発明の詳細な説明】
【技術分野】
【０００１】
本発明は、暖房機能を有する便座とそれを備えた衛生洗浄装置に関するものである。
【背景技術】
【０００２】
従来のこの種の暖房便座では、図１２に示すように便座１や便座蓋２を便器３から取り外す際に、便座１に備えられた端子（図示せず）からコネクタ４を取り外すことで便座１からコード５が垂れないようにしている（例えば特許文献１参照）。
【特許文献１】特開平７−２３６５９５号公報
【発明の開示】
【発明が解決しようとする課題】
【０００３】
しかしながら、前記従来の構成では、便座を通常通り便座に設置した状態で、例えば男子小便用に便座が上げられたような明らかに暖房手段を使用しない時でも、誤って暖房手段が機能するなど、必要以上に便座を昇温させることとなっており不経済であった。また、便座を便器から取り外す際に便座に備えられた端子からコネクタを取りはずさねばならず不便であった。
【０００４】
本発明は、前記従来の課題を解決するもので、便座の回動と連動して暖房手段を機能させることのできる昇温可能状態と、機能させられない昇温不可能状態を切り換えられる上、便座を便器から取り外す際に使用者がコネクタを外すなどの作業をする必要のない暖房便座を提供することを目的とする。
【課題を解決するための手段】
【０００５】
前記従来の課題を解決するために、本発明は、暖房手段を備えた便座と、便器に取り付けられ前記便座の回動を支持すると共に電源より電気の供給を受ける支持手段とを備え、前記便座の回動と連動して前記電源より供給される電力を用いて前記暖房手段を機能させることのできる昇温可能状態と、機能させることのできない昇温不可能状態とを切り換えるものである。この構成によって、例えば男子小便用に便座が上げられたような明らかに暖房便座を使用しない時に、暖房手段の機能を停止させ、必要外の電力の利用を防止することができる上、便座を便器から取り外す際にも、使用者がコネクタを外すなどの作業をする必要がなく便利である。
【発明の効果】
【０００６】
本発明の暖房便座は、例えば男子小便用に便座が上げられたような明らかに暖房便座を使用しない時に、暖房手段の機能を停止させ、必要外の電力の利用を防止することができる上、便座を便器から取り外す際にも、使用者がコネクタを外すなどの作業をする必要がなく便利である。
【発明を実施するための最良の形態】
【０００７】
第１の発明は、便器に取り付けられ便座の回動を支持すると共に電源より電気の供給を受ける支持手段と、前記便座に配設して前記電源より供給される電力を用いて暖房する暖房手段とを備え、前記便座の回動と連動して前記暖房手段を昇温可能状態と昇温不可能状態とに切り換えるものである。これによって、例えば男子小便用に便座が上げられたような明らかに暖房便座を使用しない時などは、便座を暖房する必要がないので、便座が上げられているという回動状態と昇温不可能状態とを連動させて、暖房手段の機能を停止させ、必要外の電力の利用を防止することができる。
【０００８】
第２の発明は、便器に取り付けられ便座の回動を支持すると共に電源より電気の供給を受ける支持手段と、前記便座に配設して前記電源より供給される電力を用いて暖房する暖房手段とを備え、前記便座と前記支持手段にはそれぞれ電気接点部を有する便座側コネクタと支持手段側コネクタを設けて、前記便座側コネクタと前記支持手段側コネクタの電気接点部の接触は便座の回動と連動するものである。これによって、例えば男子小便用に便座が上げられたような明らかに暖房便座を使用しない時に、便座の上げられた回動状態と連動させて、便座側コネクタと指示手段側コネクタとの電気接点部の接触を非接触とし、暖房手段の機能を停止させ、必要外の電力の利用を防止することができる。
【０００９】
第３の発明は、特に、第１または第２の発明の便座に、支持手段から脱着可能とする脱着手段を備えたもので、便座が便器から取り外せるので便座の掃除や手入れが簡単に行える上、便座を便器から取り外す際に、使用者がコネクタを外すなどの作業をする必要がなく便利である。
【００１０】
第４の発明は、特に、第１〜３のいずれか１つの発明の暖房手段を、輻射型発熱体を熱源としたものでごく短時間で便座を昇温させることができるため、使用者が便座に着座する直前に暖房手段を機能させるだけで、使用者が着座する時には十分に便座を暖めることができるので、非着座時には暖房手段を機能させる必要がなく、省エネでありかつ電気代が安価で経済的である。
【００１１】
第５の発明は、特に、第１〜３のいずれか１つの発明の暖房手段を、輻射型発熱体と第２発熱体の両方を熱源としたもので、両者を併用することで、着座待機時には、ランニングコストの低いほうの発熱体で継続的に暖房し、着座直前にのみ、立ち上がりに大電力は必要であるが即座に暖房することが可能な発熱体を用いて暖房するなどという、発熱体の使い分けを行うことで、電気代を抑えつつ着座時の温熱感を十分得ることができる。
【００１２】
第６の発明は、特に、第５の発明における電気接点部の通電端子を、少なくとも３つとするもので、例えば、２種の暖房手段のそれぞれに端子が２つずつ必要であるところを、アース端子を共有することで、端子を３つとして、なるべく端子の数を少なくすることができる。これによって、複数の暖房手段を備えつつ、簡単な構成で電気接点部が実現でき、安価ですむ。
【００１３】
第７の発明は、特に、第２〜６のいずれか１つの発明の支持手段に設けられた支持手段側コネクタ前面に、便座の回動に連動して開閉するカバーを設けたもので、男子が小便をする場合など便座を上げた状態で小便をした場合でも、小便が電気接点部にかかるのを防ぐことができる。
【００１４】
第８の発明は、特に、第２〜７のいずれか１つの発明の便座に設けられた便座側コネクタ前面に、前記便座の回動に連動して開閉するカバーを設けたもので、男子が小便をする場合など便座を上げた状態で小便をした場合でも、小便が電気接点部にかかるのを防ぐことができる。
【００１５】
第９の発明は、特に、第７または第８の発明のカバーは、カバー板と、バネを備えたもので、簡単な構成でカバーが実現できる。
【００１６】
第１０の発明は、特に、第４〜９のいずれか１つの発明の輻射型発熱体は、ガラス管にハロゲンガスを封入したランプヒーターとするもので、極めて高い昇温性能を得ることができる。この発熱体を用いると、非着座時には通電していなくても、便座着座時直前に通電して着座時には便座を十分温めることができる。
【００１７】
第１１の発明は、特に、第５〜１０のいずれか１つの発明の第２発熱体は、コード状の抵抗体であるコードヒーターとするものである。これは低電力で継続的に暖房するのに適していて、また、コード状であるため、細部の引き回しも可能なので、暖房の必要な細かい部位、また、他の部材との関係で配設しにくい部位にも配設が可能となり、安価でかつ簡単な構成で暖房手段が実現できる。
【００１８】
第１２の発明は、特に、第５〜１０のいずれか１つの発明の第２発熱体は、面状の抵抗体である面ヒーターとするもので、安価でかつ簡単な構成で暖房手段が実現できる。これは、コード状のヒータと比較して、大面積の部位を暖房するのに最適である。
【００１９】
第１３の発明は、特に、第２〜１２のいずれか１つの発明の支持手段側コネクタおよび便座側コネクタは、便座の略中央より左右いずれかにずらした位置に設けられたもので、小便や掃除時の水の飛び跳ねがコネクタにかかりにくくして電気接点部を守るものである。
【００２０】
第１４の発明は、特に、第１〜１３のいずれか１つの発明の暖房便座と、局部洗浄手段を備えた衛生洗浄装置とするもので、暖房機能と同時に局部洗浄機能も利用でき、快適である。
【００２１】
以下、本発明の実施の形態について、図面を参照しながら説明する。なお、この実施の形態によって本発明が限定されるものではない。
【００２２】
（実施の形態１）
図１は、本発明の実施の形態１における暖房便座を便器に取り付けた状態を示すの斜視図であり、図２は  便座を便器から取り外した状態を示す斜視図、図３、４は、便座の平面図である。
【００２３】
図１において暖房便座１０は便器１２に固定するよう取り付けられ、便座１３の回動を支持すると共に電源１４から電源コード１７を通して電気の供給を受ける支持手段１１と、暖房手段１５を備える便座１３と、電源から供給される電気エネルギーを便座１３の暖房手段１５に伝えるコネクタ１６（支持手段側コネクタおよび、便座側コネクタ）を備えている。なお便器１２は、便座１３と同様に回動自在に上下して便器１２と便座１３の全面を覆う便座蓋を備えるが、その図は省略した。
【００２４】
図２において支持手段１１は、便座１３の暖房手段１５に電気を供給するための電気接点部１９を有する支持手段側コネクタ１８と、便座１３や便座蓋の回動を支持するための回動軸受け２０を備えている。なお、図２には便座１３を便器１２から取り外し、支持手段側コネクタ１８が表に見える状態を示すが、便座１３が、便器１２に取り付けられかつ便座１３が上げられた場合も支持手段側コネクタ１８は同じように表に見える状態となる。
【００２５】
図３において、便座１３は支持手段１１から暖房手段１５に電気の供給を受けるための電気接点部１９を有する便座側コネクタ２１と、支持手段１１に取り付けるためでありかつ便座１３自身が回動するための回動軸２２と、便座１３を支持手段１１から脱着させるための脱着手段２３を備えている。
【００２６】
図４において、便座１３は暖房手段として輻射型発熱体２４を備えている。図５は、その便座１３の主要断面図で、空洞部２７の内部には便座１３の着座部２５に対向して、アルミ板を鏡面仕上げした輻射反射板２８と、輻射型発熱体としてランプヒーター２９とが設けられている。
【００２７】
このランプヒーター２９の近傍には、ランプヒーター２９と直列に接続されたサーモスタット３０およびコード状の温度ヒューズ３１が設けられ、万一の不安全事態に対して温度過昇を防止する。温度ヒューズ３１は複数のランプヒーター２９からの距離を一定に保つようにランプヒーター２９に沿って設けられている。
【００２８】
上記ランプヒーター２９は、ガラス管３２の内部にタングステンからなるフィラメント３３を貫通しハロゲンガス３４を封入して構成されており、フィラメント３３の発熱に伴ってハロゲン化タングステンを形成するハロゲンサイクル反応を繰り返すことにより、フィラメント３３の消耗を防止するようにしている。これにより熱容量の非常に小さいフィラメント３３を熱源とすることができ、輻射エネルギーの極めて急峻な立ち上がりを行わせることができる。
【００２９】
このランプヒーター２９は、弾性材であるゴムブッシュ３５を有するランプヒーター固定具３６により輻射反射板２８に固定され、輻射反射板２８はゴム足３７によりケース２６に固定されている。３８は便座１３の脚ゴム３９内に設けられたマイクロスイッチ４０で構成された着座検知手段であり、便座１３への加重でスイッチがオンすることにより使用者の着座を検知するようになっている。暖房時の温度は、サーミスタ４１によって制御される。また、４２、４３はそれぞれ使用者がトイレに入室したことを検知する人体検知センサーと、制御手段である。
【００３０】
図６はコネクタである。ここでは、支持手段側コネクタ１８の電気接点部１９は部分的に凹形状を、また暖房手段側コネクタ２１の電気接点部１９は凸形状をしていて、これらが互いに接する。
【００３１】
以上のように構成された暖房便座について、以下その動作、作用を説明する。支持手段１１は、便器に固定するように取り付けられ、電源１４より電気の供給を受ける。そして便座１３は、回動自在であると共に脱着できるよう支持手段１１に取り付けられ、自由に上下に回動する。ここで、便座１３が下げられると、便座１３に設けられ暖房手段１５に電力を供給するための便座側コネクタ２１と、支持手段に設けられた支持手段側コネクタ１８とが勘合して、互いの電気接点が接し合い、これによって支持手段に供給される電力が便座１３に設けられた暖房手段１５に供給され、暖房手段１５が機能する。
【００３２】
一方、便座１３が上げられた状態にあったり、男子使用者が入室後小便用に便座１３を上げた場合には、上記便座側コネクタ２１と支持手段側コネクタ１８は離れるため、通電されず、暖房手段１５には電力が供給されない。これにより、必要以上に便座１３を加温することをなく省エネでありかつ電気代が安価であるので経済的である。
【００３３】
次に、輻射型発熱体２４により便座が昇温する仕組みについて説明する。便座１３が下げられた状態で使用者がトイレに入室した場合、人体検知センサー４２がそれを検知し、その信号が制御手段４３に送られ、制御手段４３はランプヒーター２９に通電を開始する。投入エネルギーは瞬時に輻射エネルギーに変換され、フィラメント３３からガラス管３２および輻射反射板２８を経て上方に放射され、便座１３の昇温に寄与する。ここで、輻射反射板２８の端部は全周にわたり上方への折り曲げ部を有しており、その折り曲げ部によりランプヒーター２９からの熱輻射が偏向されるので、ランプヒーター２９から離れている外周縁部および内周縁部の輻射密度を上げるように作用し、便座１３上部への輻射分布の均一化を図っている。通常、人体検知センサー４２で人を検知してから便座１３に着座するまでは平均的に６〜８秒要するので、本システムではこの間に十分昇温可能である。以上の如く輻射型発熱体２４を用いれば、便座１３の着座部２５の採暖面をほぼ瞬時に加温することができるので、ヒーターを常時通電しておく必要がなく、つまり、便座１３を下げた状態でも電気接点部１９は、導電されるものの通電されず加温待機状態となり、人体検知センサー４２が人体を検知して初めて加温動作に入るため、省エネでかつ経済的である。
【００３４】
そして、使用者が排便のために着座すると、ランプヒーター２９により適温に暖房された便座では、それ以上の昇温の必要はなく、その後は過昇防止のために、暖房の立ち上がり時と比較して低い電力でｏｎ―ｏｆｆ制御（通電量をゼロまたは便座温度が過昇しないところまでを繰り返す制御）を行う。これにより、サーミスタ４１などが故障しても使用中に便座温度が過昇することなく、安全である。上記の如く人体を検知してから加温を行う上に、便座への着座直前のごく短時間だけ便座１３の加温を行うので、さらに省エネとなる。また、万一何らかの原因でランプヒーター２９への通電が継続して行われた場合は、ランプヒーター２９に沿うように設けられたコード状の温度ヒューズ３１が所定温度以上で溶断し、ランプヒーター２９への通電を遮断する。使用者が排便を済ませた後は、局部洗浄手段（図示せず）を有した便座であれば、温水により洗浄する。局部洗浄手段を利用することで、利用者は快適な排便動作を実施できる。
【００３５】
なお、ここでは着座検知手段３８を脚ゴム３９内のマイクロスイッチ４０で構成したもので説明したが、回動自在に設けた便座１３のヒンジ部等に設けても良く、その場所や構成は種々のものが考えられる。
【００３６】
また暖房手段１５を加温する手段として、上記のとおり人体検知センサー４２を用い、自動で便座１３を加温する方法について説明したが、これ以外に使用者が着座後、手動でスイッチを押して加温させるなどの方法もある。この場合、便座１３を下ろした状態では、導通のみされて通電されず加温待機状態となり、スイッチ操作によって初めて加温動作を行うようにすれば、この場合でも省エネでありかつ経済的となる。
【００３７】
ここで便座１３を下ろした場合は電気的に導通がなされて、通電されないでスイッチ操作や人体検知センサーによっていつでも便座１３を加温できるような待機状態や、あるいは実際に通電されて加温動作を行っているような状態、つまり昇温可能状態となり、一方便座１３が上げられた場合には、非導通となって便座１３を加温できないような昇温不可能状態となる。このように便座１３の回動と連動して昇温可能状態、不可能状態を切り換えられる手段としては、上記のような便座１３の回動と連動してコネクタ１６が接触、非接触を繰り返して切り換えを実現する方法以外に、例えば、暖房手段１５をいわゆるＩＨヒーター（電磁誘導加熱ヒーター）とし、着座検知手段３８と、制御手段４３を用いて、使用者の着座を検知した場合に、ＩＨヒーターをＯＮするような物理的に非接触でありながら電気エネルギーを用いて便座１３を加温させるような方法も考えられる。
【００３８】
なお、便座１３を支持手段１１から取り外し可能とする脱着手段としては、図３における脱着手段２３部分が弾性体で形成され、ここが、脱着時に脱着できるよう可動する方法が挙げられる。この場合、回動軸２２が脱着手段２３の可動によって、回動軸受け２０から外れて、便座１３が支持手段１１から外れる仕組みとなっている。この他に、回動軸２２の突起部がスライド機構によって便座１３の端面から出たり引っ込んだりし、これが引っ込むことによって脱着を可能にする方法や、回動軸受け２０の一部が開閉自在に切り欠かれていて、その切り欠かれた隙間を回動軸２２が通ることで脱着可能とする方法など、様々な形態、手段が考えられる。
【００３９】
（実施の形態２）
図７、８は本発明の第２の実施の形態の暖房便座における便座の平面図である。実施の形態１と同様の部分は省略するとし、異なる部分についてのみ説明する。
【００４０】
図７において、４４はコード状の抵抗体をヒーターとしたコードヒーター、図８において、４５は面状の抵抗体をヒーターとした面ヒーターであり、いずれも暖房手段として輻射型発熱体２４と併用される第２発熱体である。
【００４１】
これらの第２発熱体は輻射型発熱体２４と併用することで、例えば、輻射型発熱体２４では構成上困難な便座１３の支持手段１１側の部分、つまり着座時の人体の後ろ側の部分の加温に対して補助的な役割を果たすことができる。また、人体検知手段４２を用いず、使用者の着座を検知して便座１３を加温したり使用者のスイッチ操作によって加温する場合などは、たとえ輻射型発熱体２４が優れていてごく短時間での昇温が可能であっても着座した瞬間に使用者に冷たいと感じさせないよう小さな電力を第２発熱体４４，４５に与えて常に保熱しておくことで、入力電力が小さいため経済的である一方、着座時の冷温感もなくすことができ、大変効果的である。
【００４２】
これらコードヒーター４４と面ヒーター４５はいずれも安価で、また簡単な構成で実現できる。
【００４３】
一方、輻射型発熱体２４と第２発熱体４４、４５を併用する際に、各発熱体に異なる電圧を加えなけばならない場合があり、この場合、電気接点部１９の通電端子は輻射型発熱体２４と第２発熱体４４、４５の各グランド（アース）を共通とすることで、端子数を３つで実現することができる。
【００４４】
（実施の形態３）
図９の（ａ）は本発明の実施の形態３における便座が上げられた状態を示す正面図で、（ｂ）は同状態でのカバーの閉止状態を示すＡ部分の拡大図である。また、図１０の（ａ）は本発明の実施の形態３における便座が下げられた状態を示す正面図で、（ｂ）は同状態でのカバーの開状態を示すＢ部分の拡大図である。ここで、実施の形態１および実施の形態２と同様の部分は省略するとし、異なる部分についてのみ説明する。
【００４５】
図９、１０において、カバー４６は、カバー板４７とこれを支持するカバー支持４８およびカバー板を閉止状態に維持するためのバネ４９を備えており、支持手段１１の支持手段側コネクタ１８の前面に設けられている。図９は便座１３が上げられた状態を示し、この時カバー４６は、バネの力によって閉止されている。一方、図１０は便座１３が下げられた状態を示し、この時カバー４６のカバー板４７は、便座側コネクタ２１に押されながら開けられ、支持手段側コネクタ１８と便座側コネクタ２１は共に接し合う。
【００４６】
このように、バネの力を利用して、便座１３の回動と連動して支持手段側コネクタ１８の前面を覆うカバーを開閉することで、便座１３が上げられた状態で例えば小便や嘔吐物などの異物が電気接点部に付着してこれを短絡させるのを防ぐことができる。
【００４７】
なお、カバーの形態としては、図９、１０に示すような回動開閉式だけではなく、シャッターの形態で開閉する方式など、様々な形態が考えられる。また、バネ４９にはねじりコイルバネや板バネなどが利用できる。
【００４８】
上記実施例は、支持手段側コネクタ１８の前面を覆うカバーについてのみ示したが、便座側コネクタ２１を覆うカバー（図示せず）の場合も同様にして構成することができる。
【００４９】
（実施の形態４）
図１１は本発明の実施の形態４における暖房便座を便器に取り付けた状態を示すの斜視図である。ここで、実施の形態１および実施の形態２および実施の形態３と同様の部分は省略するとし、異なる部分についてのみ説明する。
【００５０】
図１１において、支持手段側コネクタ１８は、支持手段１１の中央付近よりはずれた位置に設けられている。これにより、例えば男子小便用などで便座１３が上げられた状態で小便がされた場合でも、小便がコネクタ１６にかかるのを避けることができる。なおこの場合、この支持手段側コネクタ１８と対となる便座側コネクタ２１も便座１３において同様に位置をずらして設置される。
【産業上の利用可能性】
【００５１】
以上のように、本発明にかかる暖房便座は、便座の回動状態と暖房機能を連動させて電力の省エネを図るものであるので、便座に限らず、建設機械、工作機械など回動する接点を介して大きな電力を供給するもので、水分に対する対策を施す必要のある電機機器にはとくに、その応用が可能である。
【図面の簡単な説明】
【００５２】
【図１】本発明の実施の形態１における暖房便座を便器に取り付けた状態を示すの斜視図
【図２】本発明の実施の形態１における暖房便座を便器から取り外した状態を示す斜視図
【図３】本発明の実施の形態１における暖房便座の便座の平面図
【図４】本発明の実施の形態１における暖房便座の便座の他の平面図
【図５】同暖房便座の主要断面図
【図６】本発明の実施の形態１におけるコネクタを示す拡大図
【図７】本発明の実施の形態２における暖房便座の便座の平面図
【図８】本発明の実施の形態２における暖房便座の便座の他の平面図
【図９】（ａ）本発明の実施の形態３における便座が上げられた状態を示す正面図（ｂ）同状態でのカバーの閉止状態を示す拡大図
【図１０】（ａ）本発明の実施の形態３における便座が下げられた状態を示す正面図（ｂ）同状態でのカバーの開状態を示す拡大図
【図１１】本発明の実施の形態４における暖房便座を便器に取り付けた状態を示すの斜視図
【図１２】従来の暖房便座の斜視図
【符号の説明】
【００５３】
１０  暖房便座
１１  支持手段
１２  便器
１３  便座
１４  電源
１５  暖房手段
１６  コネクタ（支持側コネクタおよび便座側コネクタ）
１８  支持手段側コネクタ
１９  電気接点部
２１  便座側コネクタ
２３  脱着手段
２４  輻射型発熱体
２９  ランプヒーター
３２  ガラス管
３４  ハロゲンガス
４４  コードヒーター（第２発熱体）
４５  面ヒーター（第２発熱体）
４６  カバー
４７  カバー板
４９  バネ
【図１】
2005253644.tif 000003
【図２】
2005253644.tif 000004
【図３】
2005253644.tif 000005
【図４】
2005253644.tif 000006
【図５】
2005253644.tif 000007
【図６】
2005253644.tif 000008
【図７】
2005253644.tif 000009
【図８】
2005253644.tif 000010
【図９】
2005253644.tif 000011
【図１０】
2005253644.tif 000012
【図１１】
2005253644.tif 000013
【図１２】
2005253644.tif 000014